(57)【要約】【課題】必要な小物と不要な小物とを分別して収納することができ、しかも不要な小物の破棄を容易に行うことができる小物入れ並びにこの小物入れを備えた画像形成装置を提供する。【解決手段】一面に開放する収納空間１１を備えた本体１２と、収納空間１１を複数に分割する仕切り１３とを備えていると共に、本体１２は仕切り１３によって分割された収納空間１１ａ〜１１ｄのうち一つの分割収納空間１１ａを非磁性体室とし且つその他の分割収納空間１１ｂ〜１１ｄを磁性体室とする。【選択図】図１
2007271672.tif 000002
【特許請求の範囲】
【請求項１】
一面に開放する収納空間を備えた本体と、前記収納空間を複数に分割する仕切りとを備え、前記本体は前記仕切りによって分割された収納空間のうち少なくとも一つを非磁性体室とし且つ他を磁性体室としていることを特徴とする小物入れ。
【請求項２】
前記仕切りが前記収納空間内で回転可能となっていることを特徴とする請求項１に記載の小物入れ。
【請求項３】
前記本体には前記非磁性体室と前記磁性体室とを視覚上で区別する識別部が設けられていることを特徴とする請求項１又は請求項２に記載の小物入れ。
【請求項４】
前記本体は外壁部材と内壁部材とに分割され且つ何れか一方の壁部材が前記非磁性体室に対応する部位を除いて磁性体を含む材料から構成されていることを特徴とする請求項１乃至請求項３の何れかに記載の小物入れ。
【請求項５】
前記仕切りが前記内壁部材と一体若しくは別体に構成されていることを特徴とする請求項４に記載の小物入れ。
【請求項６】
前記内壁部材が前記外壁部材に対して同一平面内で回転可能となっていることを特徴とする請求項４又は請求項５に記載の小物入れ。
【請求項７】
前記外壁部材が前記非磁性体室に対応する部分を除いて磁性体を含む樹脂材料から構成され、前記内壁部材が有底円筒形状の非磁性材料から構成され、前記内壁部材が前記外壁部材内で回転可能に保持されていることを特徴とする請求項４乃至請求項６の何れかに記載の小物入れ。
【請求項８】
前記外壁部材が非磁性体材料から構成され、前記内壁部材が前記非磁性体材料に対応する部分を除いて磁性体を含む材料から構成され、前記内壁部材が前記外壁部材内で回転可能に保持されていることを特徴とする請求項４乃至請求項６の何れかに記載の小物入れ。
【請求項９】
前記内壁部材は、磁性体材料から有底円筒形状に構成されると共に、その一部の周壁並びに底壁が前記非磁性体室に対応するように除去されていることを特徴とする請求項８に記載の小物入れ。
【請求項１０】
前記内壁部材と前記外壁部材との間に前記非磁性体室と前記識別部との相対位置を位置決めする雌雄の異なる位置決め用の係合部が設けられていることを特徴とする請求項３乃至請求項９の何れかに記載の小物入れ。
【請求項１１】
操作パネルに隣接する位置に小物入れ収納部が形成され、該小物入れ収納部に請求項１乃至請求項１０の何れかに記載の小物入れが着脱可能に設けられていることを特徴とする画像形成装置。
【発明の詳細な説明】
【技術分野】
【０００１】
本発明は、小物入れ、特に、クリップや使用済みステープラ針を収納する小物入れ、及びこの小物入れを備えた画像形成装置に関する。
【背景技術】
【０００２】
従来、インサート成形や嵌め込みにより磁石等の磁性体を内蔵した本体に収納空間を形成し、この収納空間内にクリップ等を収納可能とした小物入れが周知である。
【０００３】
また、このような小物入れは、卓上等に載置して使用される他、画像形成装置等のように操作パネルに隣接する位置に設けているものも知られている（例えば、特許文献１参照）。
【０００４】
このような小物入れは、例えば、複写機やファクシミリなどの画像形成装置を使用するに際して、原稿をクリップ止めしていた場合、そのクリップを一時的に取り外して複写や送信のために原稿の読み取った後、再び原稿をクリップ止めする際の紛失防止用として用いている。また、複数のクリップを予め吸着させておき、複数部の複写原稿を部数毎にクリップ止めする場合のストック用として用いる場合もある。
【特許文献１】特開２００２−１６９３４９号公報
【発明の開示】
【発明が解決しようとする課題】
【０００５】
ところで、上記の如く構成された小物入れにあっては、主としてクリップを磁性体の磁力によって吸着することで散乱の防止或いは取り易さを実現するものである。
【０００６】
しかしながら、このような小物入れにあっては、例えば、クリップを原稿から取り外す際に、変に曲がってしまって再利用するには機能的に問題があるものや、原稿束を綴じていたステープル針の取り外し後の不要なものなどを同じ収納空間内に入れてしまうと、同一収納空間内に利用可能なクリップと不要なクリップやステープル針とが混在してしまい、使用勝手が悪くなるといった問題が生じていた。
【０００７】
また、特許文献１に開示のように、クリップ収納用の小物入れとは別に不要ステープル針等のごみ入れを設けた場合、その設置空間をクリップ用小物入れとは別に確保しなければならないといった問題が生じる。
【０００８】
そこで、クリップ収納用の小物入れとごみ入れとを隣接して一体化することも考えられるが、このように一体化してしまうと、ごみ入れ内の不要ステープル針もごみ入れ内にて磁性体により吸着されてしまっているため、ごみ捨てが面倒であるという新たな問題が発生する。
【０００９】
そこで、本発明は、上記事情を考慮し、必要な小物と不要な小物とを分別して収納することができ、しかも不要な小物の破棄を容易に行うことができる小物入れ並びにこのような小物入れを備えた画像形成装置を提供することを目的とする。
【課題を解決するための手段】
【００１０】
本発明の小物入れは、一面に開放する収納空間を備えた本体と、前記収納空間を複数に分割する仕切りとを備え、前記本体は前記仕切りによって分割された収納空間のうち少なくとも一つを非磁性体室とし且つ他を磁性体室としていることを要旨とする。
【００１１】
本発明の小物入れによれば、必要な小物と不要な小物とを分別して収納することができ、しかも不要な小物の破棄を容易に行うことができる。
【００１２】
本発明の小物入れは、前記仕切りが前記収納空間内で回転可能となっていることを要旨とすることにより、磁性体室と非磁性体室とを容易に切り替えることができる。
【００１３】
本発明の小物入れは、前記本体には前記非磁性体室と前記磁性体室とを視覚上で区別する識別部が設けられていることを要旨とすることにより、不要な小物と必要な小物との入れ違いを防止することができる。
【００１４】
本発明の小物入れは、前記本体は外壁部材と内壁部材とに分割され且つ何れか一方の壁部材が前記非磁性体室に対応する部位を除いて磁性体を含む材料から構成されていることを要旨とすることにより、磁石等を本体に固定するための加工や組み付け作業を不要とすることができる。
【００１５】
本発明の小物入れは、前記仕切りが前記内壁部材と一体若しくは別体に構成されていることを要旨とすることにより、仕切りを内壁部材と一体とした場合には仕切りを内壁部材に組み付けるといった作業を不要とすることができ、仕切りを内壁部材と別体とした場合には仕切り形状を任意に変更することができる。
【００１６】
本発明の小物入れは、前記内壁部材が前記外壁部材に対して同一平面内で回転可能となっていることを要旨とすることにより、仕切りを独立して回転させた際の隙間の発生を防止することができる。
【００１７】
本発明の小物入れは、前記外壁部材が前記非磁性体室に対応する部分を除いて磁性体を含む樹脂材料から構成され、前記内壁部材が有底円筒形状の非磁性材料から構成され、前記内壁部材が前記外壁部材内で回転可能に保持されていることを要旨とすることにより、収納空間での非磁性体室と磁性体室との切り替えを容易に行うことができる。
【００１８】
本発明の小物入れは、前記外壁部材が非磁性体材料から構成され、前記内壁部材が前記非磁性体材料に対応する部分を除いて磁性体を含む材料から構成され、前記内壁部材が前記外壁部材内で回転可能に保持されていることを要旨とすることにより、外壁部材の大気側に磁力を帯びさせることを防止することができる。
【００１９】
本発明の小物入れは、前記内壁部材は、磁性体材料から有底円筒形状に構成されると共に、その一部の周壁並びに底壁が前記非磁性体室に対応するように除去されていることを要旨とすることにより、非磁性体室の設定を容易に行うことができるうえ、除去されている部分を識別部として兼用することができる。尚、ここでの除去とは、成形時に予め除去されている場合と、後加工により除去する場合の何れも含むものとする。
【００２０】
本発明の小物入れは、前記内壁部材と前記外壁部材との間に前記非磁性体室と前記識別部との相対位置を位置決めする雌雄の異なる位置決め用の係合部が設けられていることを要旨とすることにより、識別部に対する位置決めを容易に行うことができる。
【００２１】
本発明の画像形成装置は、操作パネルに隣接する位置に小物入れ収納部が形成され、該小物入れ収納部に請求項１乃至請求項１０の何れかに記載の小物入れが着脱可能に設けられていることを要旨とすることにより、必要な小物と不要な小物とを分別して収納することができ、しかも不要な小物の破棄を容易に行うことができる小物入れを具備させることができる。
【発明の効果】
【００２２】
本発明の小物入れは、必要な小物と不要な小物とを分別して収納することができ、しかも不要な小物の破棄を容易に行うことができる。
【発明を実施するための最良の形態】
【００２３】
次に、本発明の一実施形態に係る小物入を画像形成装置用の小物入れに適用し、図面を参照して説明する。
【００２４】
図１２は本発明の一実施形態における小物入れを設けた画像形成装置の斜視図である。
【００２５】
図１２において、１は複写機・ファクシミリ・スキャナー・プリンタ或いはこれらを組み合わせた複合機といった画像形成装置である。
【００２６】
この画像形成装置１は、装置本体２の前面から引き出し可能な複数段の用紙トレイユニット３，４，５と、複写機・ファクシミリ・スキャナーとして原稿を読み取る際の自動原稿送り装置（ＡＤＦ）６と、表示画面７を備えると共に各種機能の設定・選択や複写枚数設定等を行う操作パネル８と、操作パネル８に隣接する本体パネル９に設けられた小物入れ１０とを備えている。尚、この画像形成装置１の形状や構成・機能（複写機機能やファクシミリ機能等）は図示例のものに限定されるものではない。また、例えば、ソーター等のオプション機能設置等の設置を妨げるものではない。
【００２７】
（実施例１）
図１は本発明の一実施形態に係る小物入れの分解斜視図、図２は本発明の一実施形態に係る小物入れの斜視図、図３は本発明の一実施形態に係る小物入れの平面図、図４は本発明の一実施形態に係る外ケースの平面図、図５は本発明の一実施形態に係る図３のＡ−Ａ線に沿う小物入れの断面図、図６は本発明の一実施形態に係る小物入れと画像形成装置との関係を示す要部の断面図である。
【００２８】
小物入れ１０は、図１乃至図３に示すように、一面（上面）に開放する収納空間１１を備えた本体１２と、収納空間１１を複数に分割する仕切り１３とを備えている。
【００２９】
本体１２は、筐体状（六面体形状）の外壁部材としての外ケース１４と、外ケース１４に上面に形成された開口１４ａから挿入される内壁部材としての有底円筒体１５と、外ケース１４の上面に着脱可能に装着される蓋体１６とを備えている。尚、この蓋体１６は無くても良い。
【００３０】
仕切り１３は、ここでは有底円筒体１５と一体に樹脂成形されており、実質的に有底円筒体１５の内部空間によって構成される収納空間１１を区分（分割）し、分割収納空間１１ａ〜１１ｄを形成する。本実施の形態において仕切り１３は、互いに直交するように放射状に延びる四枚の隔壁１３ａ〜１３ｄにより平面視略十字形状を呈している。また、仕切り１３の上端は、ここでは有底円筒体１５の周壁上端から突出している。この突出量は蓋体１６の肉厚以上とされ、図２に示すように、その一部が蓋体１６から突出するように設定されている。尚、仕切り１３は収納空間１１を複数に分割するものであればその形状はＹ字状やＩ字状等のように、特に限定されるものではない。また、仕切り１３の上端の一部は蓋体１６から必ずしも突出する必要は無い。
【００３１】
外ケース１４は、例えば、二種類の樹脂材料を用いると共にその一方の樹脂材料には磁性粉末等の磁性体を含有させ、磁性体含有樹脂材料と磁性体を含有させていない樹脂材料とを同時に成形金型内に供給することによって、図４及び図５に示すように、一部に非磁性体エリアＥ１の壁面１４ｂを有し且つその他の一部に磁性体エリアＥ２の壁面１４ｃを有するように一体形成されている。尚、この非磁性体エリアＥ１は、ここでは仕切り１３によって分割された分割収納空間１１ａ〜１１ｄのうちの一つに相当する範囲となっている。また、外ケース１４には、例えば、非磁性体エリアＥ１内の底壁から突出する係合部としての凸部（又は凹部でも良い）１４ｄが設けられている。
【００３２】
有底円筒体１５は、有底円筒体１５の軸線を中心とする同一平面上の外ケース１４の内部で回転可能となるように収納保持されている。また、有底円筒体１５の底壁には係合部としての凹部（凸部でも良い）１５ａが形成されている。この凹部１５ａは、外ケース１４の凸部１４ｄと係合可能となるように、有底円筒体１５の回転中心から同心円上に位置している。また、この凹部１５ａと凸部１４ｄとが係合しているときに、仕切り１３によって区画された一つの分割収納空間（例えば、分割収納空間１１ａ）が外ケース１４の非磁性体エリアＥ１と一致するように設定されている。従って、任意の分割収納空間１１ａ〜１１ｄが磁性体エリアＥ２に跨ることなく非磁性体エリアＥ１に位置するようになっていれば、雌雄（凹凸）の関係や形成位置は特に問わない。
【００３３】
蓋体１６は、収納空間１１と略一致する開口１６ａが形成されている。また、蓋体１６には、例えば、その角部に三角等を印刷・シール・成形等によって識別部１６ｂが設けられている。これにより、分割収納空間１１ａ〜１１ｄのうち、どれが非磁性体エリアＥ１に位置しているかを容易に認識することができる。また、蓋体１６を装着する場合、例えば、外ケース１４の非磁性体エリアＥ１に相当する部位に印刷・シール・成形等によって識別部１４ｅを設けることによって、蓋体１６との位置合わせ、或いは、蓋体１６を設けない場合の非磁性体エリアＥ１の識別を容易に行うことができる。
【００３４】
上記の構成において、外ケース１４の開口１４ａから有底円筒体１５を挿入した後、この外ケース１４及び有底円筒体１５の上面に蓋体１６を設けることによって小物入れ１０を組み付ける。
【００３５】
この際、有底円筒体１５は、凹部１５ａを凸部１４ｄに係合させることによって、分割収納空間１１ａを非磁性体エリアＥ１に対応した適正位置とすることができる。
【００３６】
尚、蓋体１６は、例えば、外ケース１４とで互いに係合する係合部と被係合部とを設ける（共に図示せず）ことによって外ケース１４に保持されるようにしても良い。
【００３７】
次に、小物入れ１０は、図６に示すように、画像形成装置１の本体パネル９に設けられた収納部９ａに挿入することで蓋体１６が本体パネル９と略面一となる。尚、収納部９ａは単なる開口でも良い。この際、蓋体１６にフランジ等を設けることによって本体パネル９からの脱落が防止される。
【００３８】
一方、磁性体エリアＥ２に位置した分割収納空間１１ｂ〜１１ｄは、外ケース１４からの磁力によって有底円筒体１５の周壁付近が磁性を帯びることとなる。
【００３９】
これにより、分割収納空間１１ｂ〜１１ｄ内に、例えば、クリップＣを挿入することにより、そのクリップＣがあたかも有底円筒体１５の磁力によるがごとく吸着される。
【００４０】
この際、分割収納空間１１ｂ〜１１ｄが複数（この場合３つ）あることから、クリップＣの大きさ等を振り分けて入れるといった使用勝手を実現することができる。
【００４１】
これにより、例えば、クリップ止めされた原稿の複写やファクシミリ送信等を行うため、その原稿を束ねていたクリップを取り外した場合、分割収納空間１１ｂ〜１１ｄの何れかに挿入することにより、そのクリップＣが分割収納空間１１ｂ〜１１ｄ内で吸着され、複写或いはファクシミリ送信処理後の原稿を再びクリップＣで束ねることができる。
【００４２】
また、分割収納空間１１ｂ〜１１ｄ内に予め複数のクリップＣを収納していれば、複写後の原稿束をそのクリップＣにて束ねることが可能となる。
【００４３】
他方、例えば、原稿から取り外したクリップが変形してしまった場合や、原稿を綴じていたステープラ針を取り外した場合などのように、不要となったクリップＣ１やステープラ針Ｓは、非磁性体エリアＥ１に対応する分割収納空間１１ａ内に入れることにより、有底円筒体１１の周壁に吸着されること無く落下する。
【００４４】
従って、ある程度の分量の不要クリップＣ１やステープラ針Ｓがたまった場合、収納部９ａから小物入れ１０を取り出し、そのままゴミ箱等に小物入れ１０の天地を逆にすれば磁性体エリアＥ２に対応する分割収納空間１１ｂ〜１１ｄ内のクリップＣ等はそのまま吸着され、非磁性体エリアＥ１に収納された不要クリップＣ１やステープラ針Ｓを廃棄処分することができる。
【００４５】
この際、例えば、分割収納空間１１ｂ内にも不要クリップＣ１やステープラ針Ｓを入れていた場合、有底円筒体１１を回転させてこの分割収納空間１１ｂを非磁性体エリアＥ１に対応させれば、分割収納空間１１ｂ内での磁力効果がなくなり、分割収納空間１１ｂ内の不要クリップＣ１やステープラ針Ｓを容易に廃棄処分することができる。
【００４６】
このように、本発明の小物入れ１０にあっては、一面に開放する収納空間１１を備えた本体１２と、収納空間１１を複数に分割する仕切り１３とを備えていると共に、本体１２は仕切り１３によって分割された収納空間１１ａ〜１１ｄのうち一つの分割収納空間１１ａを非磁性体室とし且つその他の分割収納空間１１ｂ〜１１ｄを磁性体室とすることによって、磁力による吸着可能なクリップＣやステープラ針Ｓといった小物を、必要な小物と不要な小物とに分別して収納することができ、しかも、簡単な処理作業にて不要な小物のみを廃棄処分とすることができる。
【００４７】
また、仕切り１３が収納空間１１内で回転可能となっているため、磁性体室と非磁性体室とを容易に切り替えることができる。
【００４８】
この際、内壁部材としての有底円筒体１５を外壁部材としての外カバー１４に対して仕切り１３と一体に回転させるため、例えば、仕切り１３が有底円筒体１５と独立してこの有底円筒体１５内で回転させる場合に比べ、分割収納空間１１ａ〜１１ｄに隙の発生がなく、仕切り１３を回転させたことによって有底円筒体１５の内周壁との間の隙間にクリップＣ，Ｃ１やステープラ針Ｓが挟まってしまうといったことを防止することができる。
【００４９】
さらに、本体１２には非磁性体室と磁性体室とを視覚上で区別する識別部１６ｂが設けられていることにより、不要なクリップＣ１やステープラ針Ｓ等の小物を誤って磁性体室としての分割収納空間１１ｂ〜１１ｃに入れてしまったり、必要なクリップＣ等の小物を誤って非磁性体室としての分割収納空間１１ａに入れてしまうといった手違いを防止することができる。
【００５０】
しかも、本体１２は外壁部材としての外カバー１４と内壁部材としての有底円筒体１５とに分割され、その何れか一方の壁部材が非磁性体室に対応する部位を除いて磁性体を含む材料から構成されていることにより、磁石等を外カバー１４に固定するための加工や組み付け作業をすることなく本体１２を構成することができる。
【００５１】
また、仕切り１３が内壁部材としての有底円筒体１５と一体に構成されていることにより、仕切り１３を有底円筒体１５に組み付けるといった作業を不要とすることができるばかりでなく、小物入れ１０の天地を逆にした場合の仕切り１３の脱落を防止することができる。
【００５２】
さらに、雌雄の異なる凸部１４ｄと凹部１５ａとを設けて互いに係合可能としたことにより、識別部１６ｂに対する分割収納空間１１ａの位置決めを容易に行うことができる。
【００５３】
（実施例２）
図７は本発明の一実施形態における実施例２の小物入れの分解斜視図である。
【００５４】
上記実施例１では、有底円筒体１５と仕切り１３とを樹脂による一体成形としたものを開示したが、この実施例２では、有底円筒体２５と仕切り２３とを別体で構成したものである。尚、その他の構成は上記実施例１と同一である。
【００５５】
図７において、内壁部材としての有底円筒体（単なる円筒体でもよい）２５は、その内周壁に４つの溝２５ａ〜２５ｄが形成されている。尚、有底円筒体２５は、その材質は樹脂或いは金属でも良い。
【００５６】
仕切り２３は、互いに直交するように放射状に延びる四枚の隔壁２３ａ〜２３ｄにより平面視略十字形状を呈している。この各隔壁２３ａ〜２３ｄは、溝２５ａ〜２５ｄに係合・案内されることにより有底円筒体２５の内部空間である収納空間２１を四つに区分（分割）して分割収納空間（図示せず）を形成する。その分割収納空間は、上記実施例１と同様の機能を具備することができる。
【００５７】
このような構成においては、有底円筒体２５の構成材料と仕切り２３の構成材料とを異ならせたい場合や、仕切り２３をＴ字状やＩ字状のものとで切り替えるといった場合に有用となる。
【００５８】
（実施例３）
図８は本発明の一実施形態における実施例３の小物入れの要部の分解斜視図、図９は本発明の一実施形態における実施例３の小物入れの要部の断面図である。
【００５９】
上記実施の形態１，２では、外ケース１４を異なった２種類の樹脂材料で構成し、非磁性体エリアＥ１と磁性体エリアＥ２とを構成したものであるのに対し、この実施例３では、外ケース３４を同一樹脂材料から構成し、磁性体３７を別途設けたものである。尚、その他の構成は上記実施例１又は実施例２と同一である。
【００６０】
図８，図９において、外壁部材としての外ケース３４は、同一樹脂材料から上面に開口３４ａを有する筐体形状（六面体形状）に形成され、その底壁には円筒形状の磁性体収納部３４ｂが形成されている。
【００６１】
この磁性体収納空間３４ｂ内には、円筒形状の一部が非磁性体エリアとなるように除去した平面視略Ｃ字形状の磁性体（磁石）３７が挿入される。
【００６２】
このような構成においては、磁性体室と非磁性体室との設定を容易に行うことができるうえ、磁性体３７の磁力調整を容易に行うことができる。
【００６３】
（実施例４）
図１０は本発明の一実施形態における実施例４の小物入れの分解斜視図である。
【００６４】
上記実施例１乃至実施例３では、有底円筒体１５，２５によって収納空間１１を構成していたものであるのに対し、この実施例４では、外ケース１４の内壁を内壁部材として兼用して収納空間１１としたものである。これにより、実質的に有底円筒体１５，２５を廃止し、仕切り４３のみで分割収納空間を形成する。尚、外ケース１４並びにその他の構成は上記実施例１乃至実施例３と同一である。
【００６５】
仕切り４３は、円盤状の底壁４３ａと、この底壁４３ａから互いに直交するように放射状に延びる四枚の隔壁４３ｂ〜４３ｅが立ち上げられている。尚、底壁４３ａの底面には、凹部１５ａに相当する凹部（図示せず）が形成されている。
【００６６】
これにより、外ケース１４の開口１４ａから仕切り４３を挿入することにより、外ケース１４の内壁によって構成された収納空間１１に４つの分割収納空間を構成することができる。
【００６７】
（実施例５）
図１１は本発明の一実施形態における実施例５の小物入れの分解斜視図である。
【００６８】
上記実施例１乃至実施例４では、外ケース１４，３４に磁力を付与したものであるが、例えば、このような外ケース１４，３４を用いた小物入れ１０では、外ケース１４，３４外周もある程度の磁力を持ってしまうため、このまま卓上型の小物入れ１０として利用してしまうと、その周辺にある金属を吸着してしまう。
【００６９】
そこで、この実施例５の小物入れ５０は、一面（上面）に開放する収納空間５１を備えた本体５２と、収納空間５１を複数に分割する仕切り５３とを備えている。
【００７０】
本体５２は、筐体状（六面体形状）の外壁部材としての外ケース５４と、外ケース５４に上面に形成された開口５４ａから挿入される内壁部材としての有底円筒体５５と、外ケース５４の上面に着脱可能に装着される蓋体５６とを備えている。尚、この蓋体５６は無くても良い。
【００７１】
仕切り５３は、樹脂・ゴム・木材等の材質から互いに直交するように放射状に延びる四枚の隔壁５３ａ〜５３ｄにより平面視略十字形状を呈している。尚、仕切り５３は収納空間５１を複数に分割するものであればその形状はＹ字状やＩ字状等のように、特に限定されるものではない。
【００７２】
外ケース５４は、同一樹脂材料・ゴム・木材等の非磁性体材料から筐体形状（六面体形状）に形成され、その上面には開口５４ａが形成されている。
【００７３】
有底円筒体（単なる円筒体でもよい）５５は、磁性体材料から有底円筒形状としたものの一部を除去（成形時・跡加工を問わない）したものが用いられており、その内周壁には４つの溝５５ａ〜５５ｄが形成されている。尚、この有底円筒体５５の除去した部分は、非磁性体エリアとしての機能を備えていると同時にその非磁性体エリアであるという識別部の機能を具備している。
【００７４】
蓋体５６は、収納空間５１と略一致する開口５６ａが形成されている。尚、蓋体５６の外ケース５４或いは有底円筒体５５に対する位置決めは、ここでは必要なく、どの位置で外ケース５４或いは有底円筒体５５に係合保持させても構わない。
【００７５】
上記の構成において、外ケース５４の開口５４ａから有底円筒体５５を挿入した後、この有底円筒体５５の溝５５ａ〜５５ｄに仕切り５３の隔壁５３ａ〜５３ｄを係合・案内させ、収納空間５１を分割して分割収納空間（図示せず）を形成する。
【００７６】
この状態から、外ケース５４及び有底円筒体５５の上面に蓋体５６を設けることによって小物入れ５０を組み付ける。
【００７７】
尚、この小物入れ５０の場合、有底円筒体５５に対する仕切り５３の相対位置は、いずれの隔壁５３ａ〜５３ｄが溝５５ａ〜５５ｄに係合しても構わない。また、外ケース５４に対する有底円筒体５５の挿入位置は何れの位置であっても構わない。従って、上述した凹部１５ａと凸部１４ｄに相当するものは不要であるうえ、有底円筒体５５が外ケース５４に対して回転しなくても良い。
【００７８】
尚、蓋体５６は、例えば、外ケース５４とで互いに係合する係合部と被係合部とを設ける（共に図示せず）ことによって外ケース５４に保持されるようにしても良い。
【図面の簡単な説明】
【００７９】
【図１】本発明の一実施形態に係る小物入れの分解斜視図である。
【図２】本発明の一実施形態に係る小物入れの斜視図である。
【図３】本発明の一実施形態に係る小物入れの平面図である。
【図４】本発明の一実施形態に係る外ケースの平面図である。
【図５】本発明の一実施形態に係る図３のＡ−Ａ線に沿う小物入れの断面図である。
【図６】発明の一実施形態に係る小物入れと画像形成装置との関係を示す要部の断面図である。
【図７】本発明の一実施形態における実施例２の小物入れの分解斜視図である。
【図８】本発明の一実施形態における実施例３の小物入れの要部の分解斜視図である。
【図９】本発明の一実施形態における実施例３の小物入れの要部の断面図である。
【図１０】本発明の一実施形態における実施例４の小物入れの分解斜視図である。
【図１１】本発明の一実施形態における実施例５の小物入れの分解斜視図である。
【図１２】本発明の一実施形態における小物入れを設けた画像形成装置の斜視図である。
【符号の説明】
【００８０】
１０…小物入れ
１１…収納空間
１１ａ…分割収納空間（非磁性体室）
１１ｂ…分割収納空間（磁性体室）
１１ｃ…分割収納空間（磁性体室）
１１ｄ…分割収納空間（磁性体室）
１２…本体
１３…仕切り
１３ａ…隔壁
１３ｂ…隔壁
１３ｃ…隔壁
１３ｄ…隔壁
１４…外ケース（外壁部材）
１４ａ…開口
１４ｂ…壁面
１４ｃ…壁面
１４ｄ…凸部（係合部）
１４ｅ…識別部
１５…有底円筒体（内壁部材）
１５ａ…凹部（係合部）
１６…蓋体
１６ａ…開口
１６ｂ…識別部
【図１】
2007271672.tif 000003
【図２】
2007271672.tif 000004
【図３】
2007271672.tif 000005
【図４】
2007271672.tif 000006
【図５】
2007271672.tif 000007
【図６】
2007271672.tif 000008
【図７】
2007271672.tif 000009
【図８】
2007271672.tif 000010
【図９】
2007271672.tif 000011
【図１０】
2007271672.tif 000012
【図１１】
2007271672.tif 000013
【図１２】
2007271672.tif 000014